(57)【要約】【課題】    衣服のセット作業が簡単容易で、同時にプレスと引き伸し作用ができる機能を有するアイロン台鏝のパッドカバーを設けることで、初心者でもシワ・縮み・型崩れの無い良好な仕上げができると共に、生産性を高め、運転経費の節減を計ることにある。【解決手段】    アイロン台鏝２１・２２の表面に柔軟性を有し、含水性の少ない弾性部材１７を重ね、柔軟性を有し、含水性の少ない起毛した編織布等の部材１８を重ね、その上面に耐吸湿性を有し、柔軟な編織布等を縫製したカバー１９を被覆し固定する。アイロン台の上にワイシャツＡをセットしプレスすると、シワ縮みの無い良好な仕上りになる。【選択図】図４
2008289840.tif 000002
【特許請求の範囲】
【請求項１】
プレス・引き伸し機能を有するアイロン台の表面に伸縮性を有するパッド・カバーの部材等を順次重ね被覆し、又は前記パッド・カバーの部材等を一体的に縫製したものを被覆し、固定された事を特徴とする仕上機用アイロン台のパッドカバー。
【請求項２】
前記パッドカバー部材等の一部又は全部を含水性の少ない柔軟な部材で構成し、または防水、撥水等の加工処理を行った部材で構成されたことを特徴とする請求項１記載のアイロン台のパッドカバー。
【請求項３】
前記パッドカバー部材等の一部又は全部を通気性を有する弾性部材で構成し、または引張り強度が良好な部材で構成されたことを特徴とする請求項１記載のアイロン台のパッドカバー。
【発明の詳細な説明】
【技術分野】
【０００１】  本発明は、衣服プレス・引き伸ばし仕上げ機用アイロン台のパッドカバーに関する。
【技術背景】
【０００２】  従来、洗濯により縮んだカラーやカフスを伸張し復元させるため、生地の両端を挟み引張るクリップのような部材を下鏝の両端に設けたものがあった、これらは伸張した後、その次の行程で上・下鏝を圧迫しプレス仕上げしていた。それらはプレス・引き伸ばし仕上げが同時に一工程で行うものではなく生産性の向上は難しい。
【０００３】  上鏝でプレスしたまま下鏝が２分割して開くようにしたものがあったが、伸び・プレス仕上げ不良で伸張機能を有する訳ではない。
【０００４】  なお、本願発明に関連する公知技術として次の特許文献１を挙げることができる。
【０００５】
【特許文献１】  特開２００１−１９０９００号公報
【発明の開示】
【発明が解決しようとする課題】
【０００６】  上述の如く、従来技術に係る挟みクリップのような伸張装置にカラー生地の両端をセットする作業が練習、経験を必要とし初心者では難しく、セットが適正に行われていないと形崩れを起す恐れがある。それらの引き伸し作業工程を行った後に上鏝をアイロン台に圧迫してプレス仕上げが同時に一工程で簡単に行なえる訳ではないので、運転経費の節減が計れない。【０００７】  上鏝でプレスしたまま下鏝が２分割して開くものは、開口部のみが引張られてカラー生地の変形、破損の恐れがあると共にシワ・縮みの無い良好な仕上げが行われていないのが現状である。【０００８】  本発明は、このような点に鑑みて成されたものであり、その目的は、衣服のセット作業が簡単容易で、かつプレスと同時に引き伸し作用ができる機能を有する鏝及びアイロン台のパッドカバーを設けることで、初心者でもシワ・縮み・形崩れの無い良好な仕上げができると共に生産性の向上が計れ、大巾なコストダウンを可能にすることにある。
【課題を解決するための手段】
【０００９】  上述の目的を達成する本発明の仕上機用アイロン台のパッドカバーは、プレス・引き伸し機能を有するアイロン台の表面に伸縮性を有するパッド・カバーの部材等を順次重ね被覆し、又は、前記パッド・カバーの部材等を一体的に縫製したものを被覆し、固定されたことを特徴とする仕上機用アイロン台のパットカバー。【００１０】  一例として、前記パッド・カバー部材等の一部又は全部を含水性の少ない柔軟な部材で構成し、又は、防水・撥水等の加工処理を行った部材で構成されたことを特徴とする請求項１記載のアイロン台のパッドカバー。【００１１】  一例として、前記パッド・カバー部材等の一部又は全部を通気性を有する弾性部材で構成し、又は引張り強度が良好な部材で構成されたことを特徴とする請求項１記載のアイロン台のパッドカバー。
【発明の効果】
【００１２】  以上説明したように本発明によれば、プレスと引き伸し作用が同時に行える機能を有する鏝及びアイロン台のパッドカバーを設けることで、衣服のセット作業が初心者でも簡単容易で、かつシワ・形崩れが無く、縮みを引き伸し、復元された良好な仕上げが可能となる。またプレス、引き伸し作用が一工程で行えるため仕上げ品質の安定した商品・サービスが提供できるため、消費者から高い評価と信頼を得ることができ、生産性の向上、省エネルギー化、大巾なコストダウン等に極めて有効である。
【発明を実施するための最良の形態】
【００１３】  以下、本発明を実施の形態を図面に基づき詳細に説明する。【００１４】  図１〜図３は本発明の実施の形態に係り、図１は外観要部正面図、図２・図３はプレス前のアイロン台の横断面図、図４はプレス時のアイロン台の横断面図及び説明図である。【００１５】  図１〜図４に示すように、本アイロン台１の鏝はプレス前には平面的でプレス時にはアール形状になる中央部鏝２１とアール形状の端部鏝２２からなり、その表面に伸縮するゴム板に通気孔を多数あけたもの等の通気性を有する弾性部材１０を重ね、その上面に伸縮性を要するポリアミドネット等の部材１１を重ね、その上面に伸縮性を有する連続発泡スポンジ体１２を重ね、その上面に起毛布、フェルト等の含水性の少ない柔軟な部材１３を重ね、その上面に伸縮性を有する編織布と防水加工の編織布を縫製したカバー１４を重ね被覆され、本アイロン台１が構成されている。アイロン台は給排気、蒸気加熱・吹出し等を自在に機能するよう配管されている。図２・図３のように、プレス前のアイロン台の上にワイシャツＡをセットしプレスすると、平面的なアイロン台パッドカバーの中央部が押し上げられて、上ゴテ３のアール形状にワイシャツＡが引き伸されると同時にプレス仕上げされる。以上のような構造のものはカラー・カフス、両衿等２次元アールのアイロン台に好適であり、又立体的仕立の腰等３次元アールのアイロン台にも最適であると共に衣服のセット作業が初心者でも簡単容易で、縮みを引き伸し復元させ、良好なプレス仕上りである。【００１６】  アイロン台の鏝２１・２２の表面に多数の通気孔のあるスポンジ等の弾性部材１０を重ね、その上に引張り強度が良好なフェルト、不織布等の部材１５と含水性の少ない伸縮する編織布１６を一体的に縫製したものを被覆し、その両端をゴム紐等で引張り固定する。アイロン台の中央部鏝２１にバネ鋼板が取付けられ平面的になっており、端部鏝２２は巻きバネを介してアイロン台枠２３に支持固定している。アイロン台の上にワイシャツＡをセットし、エアーシリンダ（図示せず）を駆動してアイロン台枠２３を押し上げて上ゴテ３に圧接しプレスすると、ワイシャツＡが引き伸されると同時にシワのないプレス仕上げがなされる。以上のように構成されたものは、カラー・カフス、両衿、前立等２次元アールのアイロン台パッドカバーに好適であり、衣服のセット作業が簡単で、仕上がり品質は良好であり、かつ生産性が向上する。【００１７】  アイロン台の鏝２１・２２の表面に柔軟性を有し含水性の少ない弾性部材を１枚以上重ねたものを柔軟性を有する編織布、ネット等で包んで一体的に縫製されたもの１７を重ね、その上面に柔軟性を有し含水性の少ない起毛した編織布を１枚以上重ねたもの１８を重ね、その上面に耐吸湿性を有する柔軟な編織布等と難通気又は不通気性を有する編織布を縫製したカバー１９を重ね被覆し固定される。アイロン台の上にワイシャツＡをセットし、プレスするとワイシャツＡが引き伸されると同時にシワのないプレス仕上げがなされた。以上のように構成されたものは、カラー・カフス、両衿、片衿、両脇等の仕上機のアイロン台パッドカバーに好適であり、衣服のセット作業が簡単容易で、仕上げ品質も良好であり、高い生産性��あり、大巾なコストダウンが計れる。【００１８】  以上、本発明の実施の形態及び実施例を説明したが、本発明の範囲はこれに限定されるものではない。例えば、プレス仕上げの用途もワイシャツ用、作業衣、白衣、看護衣、綿ズボン、背広、コート、ウールズボン用等に限定されるものではなく、また、衣服の仕上げ目的、品質、加工及び仕上げ部分の衿、カフス、腰、前立、袖等に限定されず、仕上機のアイロン台の形状、寸法、大きさ、２次元アール、３次元アール、機能、効果、構成等も任意に選定することができる。また、パッド・カバーを構成する材質、加工、組合せ、構造、積層、被覆、固定、縫製、方法等は状況に応じて適宜選択されるものである。
【産業上の利用可能性】
【００１９】  本発明は衣服の仕上げとして有用な上下加圧のプレス仕上機を製造、販売、使用する産業分野で利用することができる。
【図面の簡単な説明】
【００２０】
【図１】  本発明の実施の形態に係る仕上機の外観要部正面図である。
【図２】  図１のアイロン台のプレス前の横断面図である。
【図３】  プレス前のアイロン台の横断面図である。
【図４】  プレス時のアイロン台の横断面図及び説明図である。
【符号の説明】
【００２１】１      アイロン台
３      上ゴテ
１０    通気性を有する弾性部材
１１    伸縮性を要するネット等の部材
１２    伸縮性を有する連続発泡スポンジ体
１３    含水性の少ない柔軟な部材
１４    カバー
１５    引張り強度が良好なフェルト等の部材
１６    含水性の少ない伸縮する編織布
１７    弾性部材を編織布等で包んだもの
１８    含水性の少ない起毛した編織布
２１    アイロン台の中央部鏝
２２    アイロン台の端部鏝
２３    アイロン台枠
Ａ      ワイシャツ
【図１】
2008289840.tif 000003
【図２】
2008289840.tif 000004
【図３】
2008289840.tif 000005
【図４】
2008289840.tif 000006